(57)【特許請求の範囲】
【請求項１】
1つまたは複数のモバイル端末から受信されるデータに基づいて情報を収集およびアセンブルするためのシステムであって、
1つまたは複数のモバイル端末と通信するための通信手段と、
中央処理装置と
を備え、前記データが、少なくとも、前記1つまたは複数のモバイル端末の位置、前記位置に対する環境情報、および、活動を実行するために少なくとも１つの前記モバイル端末のユーザによって使用されるツールに関し、前記中央処理装置が、
位置データを取得するために前記通信手段と通信することと、
前記ツールのためのデータを取得することと、
前記環境情報を取得することと、
前記データを処理することと、
前記データに基づき、前記活動を実行するために使用可能な最適化データを備える一意のデータセットを生成することであって、前記一意のデータセットが前記活動に対応する１または複数の位置、ツール、方法を備える前記活動を実行するために使用可能な最適化されたデータを備えることと
を行うように構成され、
前記モバイル端末が、前記活動を実行するとともに最適化されたデータを生成するための前記ツールの自動検出のための検出器を備えることを特徴とする、システム。
【請求項２】
前記活動が、釣り、狩り、スポーツ、登山またはキノコ狩りのうちの1つである、請求項1に記載のシステム。
【請求項３】
前記1つまたは複数のモバイル端末は、少なくともユーザからデータを受信するまたはデバイスを検出するための実行可能プログラムを提供され、前記中央処理装置に前記データを提供する、請求項1に記載のシステム。
【請求項４】
前記データがさらに、活動の対象および前記活動のためのツールを備える、請求項1から3のいずれか一項に記載のシステム。
【請求項５】
前記中央処理装置が、1人または複数人のユーザのモバイル端末に、他のユーザ、前記他のユーザの活動および統計情報に関するデータを提供するように構成された、請求項1から4のいずれか一項に記載のシステム。
【請求項６】
前記モバイル端末が、前記活動の対象を認識するための画像レコーダを備える、請求項1に記載のシステム。
【請求項７】
前記モバイル端末が、前記活動を実行するためのツールを認識するための画像レコーダおよび/または検出器を備える、請求項1に記載のシステム。
【請求項８】
前記中央処理装置が、過去のデータ、現在のデータ、現在の地理データ、現在の時刻データおよび前記モバイル端末からの現在の選択のうちの1つまたは複数からのデータを処理し、地理的位置、物理的ツール、および環境情報に関連する1つまたは複数のデータを前記モバイル端末に提供するように配置された、請求項1に記載のシステム。
【請求項９】
拡張現実または仮想現実のためのデバイスをさらに備える、請求項1に記載のシステム。
【請求項１０】
釣り活動で前記モバイル端末が、魚、餌、竿または環境条件のうちの1つまたは複数を検出するように構成された、請求項2に記載のシステム。
【請求項１１】
前記餌は、
前記モバイル端末が、前記餌の画像を処理し、同様の餌を検索して認識する、画像認識、
各餌が一意のトランスポンダを与えられ、デバイスNFC(近距離通信)アンテナが、前記餌に関連するトランスポンダのタイプを検出する、NFC、
各餌がバーコード/QRコード(登録商標)を与えられる、バーコード/QRコード(登録商標)、あるいは、
名前/番号を入力する、または、前記名前/番号をスキャンし、OCR処理によって認識される、名前/番号
を使用して検出される、請求項10に記載のシステム。
【請求項１２】
前記竿は、
前記モバイル端末が、前記竿の画像を処理し、同様の竿を検索して認識する、画像認識、
各竿が一意のトランスポンダを与えられ、デバイスNFC(近距離通信)アンテナが、前記竿に関連するトランスポンダのタイプを検出する、NFC、
各竿がバーコード/QRコード(登録商標)を与えられる、バーコード/QRコード(登録商標)、
前記ユーザが名前/番号を入力することができる、または前記名前/番号がOCR処理によってスキャンおよび認識され得る、名前/番号
を使用して検出される、あるいは、
ユーザプロファイルに接続され、自動的に選択される、
請求項10に記載のシステム。
【請求項１３】
前記モバイル端末が、環境データを検出するための化学物質検出器を備える、請求項10に記載のシステム。
【請求項１４】
狩り、スポーツ、登山またはキノコ狩りのうちの1つまたは複数である野外活動で使用するための、請求項1に記載のシステム。
【請求項１５】
活動の実行中におよび中央処理装置との通信で使用するためのモバイル端末であって、
コントローラ、
メモリ、
コミュニケータ
を少なくとも備え、前記コントローラが、位置、環境情報、および、前記活動を実行するためにユーザによって使用されるツールに関するデータを取得するとともに提供し、前記データおよび対応する過去のデータに基づき、前記活動に対応する１つまたは複数の位置、ツール、および方法を備える前記活動を実行するために使用可能な最適化データを備える一意のデータセットを受信するように構成され、
前記モバイル端末は、前記活動を実行するとともに最適化されたデータを生成するための前記ツールの自動検出をするための検出器を備えることを特徴とする、モバイル端末。
【請求項１６】
1つまたは複数のモバイル端末と通信するための通信手段、および
中央処理装置
を備えるシステムで1つまたは複数のモバイル端末から受信されるデータに基づいて情報を収集およびアセンブルするための方法であって、
前記データが、少なくとも、位置、環境情報、および、活動を実行するために前記モバイル端末のユーザによって使用されるツールに関し、前記中央処理装置が、
位置データを取得するために前記通信手段と通信することと、
前記ツールのためのデータを取得することと、
前記環境情報を取得することと、
前記データを処理すること、
前記取得されたデータおよび対応する過去のデータに基づき、前記活動に対応する１つまたは複数の位置、ツール、および方法を備える前記活動を実行するための最適化されたデータを備える一意の情報をアセンブルすること
を行うように構成され、
前記モバイル端末は、前記活動を実行するとともに最適化されたデータを生成するための前記ツールの自動検出をするための検出器を備えることを特徴とする、方法。
【発明の詳細な説明】
【技術分野】
【０００１】
本発明は、一般の事象、および、狩りや釣りなどの野外活動などに関するデータを収集し、処理し、ユーザに提供するための方法およびシステムに関する。
【背景技術】
【０００２】
いくつかの活動、特に、釣りや狩りなどの野外活動、は、多数の実践者を有する。こうした活動は、通常は、独りでまたは数人のグループで実施される。
【０００３】
モバイルデバイス、たとえばiPhones(登録商標)およびAndroid(登録商標)対応電話またはデバイス、に組み込まれたGPSなどの位置決めツールを使用して、データまたは電話信号なしに、それらの場所を知ることが、ユーザには可能である。これは、特に、セルラネットワークの外で野外活動を行うときに、有利である。
【０００４】
釣り人およびハンタの野外活動を容易にするためのいくつかのアプリ(アプリケーション)が存在する。これらのアプリによって、通常は、活動のエリアおよび必要とされるツールに関する情報をユーザが受信できるようになる。通常、その活動は、ユーザからデータを収集し、それらを他のユーザに提供する。
【発明の概要】
【発明が解決しようとする課題】
【０００５】
必要とされているのは、好ましくはリアルタイムでユーザがデータを提供および受信することを可能にし、最適な方法で活動を実行するための追加のデータおよび情報を含むシステムである。
【課題を解決するための手段】
【０００６】
これらの理由から、1つまたは複数のモバイル端末から受信されるデータに基づいて情報を収集およびアセンブルするためのシステムを提供する。システムは、1つまたは複数のモバイル端末、および中央処理装置を備える。データは、少なくとも、位置、環境情報および活動を実行するためにモバイル端末のユーザによって使用されるツールに関し、中央処理装置は、前記データを処理すること、前記データに基づき、前記活動を実行するための最適化されたデータを備える一意の情報をアセンブルすること、を行うように構成される。
【０００７】
添付図面を参照し、全体を通して、同じ参照番号指示を有する要素は同様の要素を表し得る。
【図面の簡単な説明】
【０００８】
【図１】本明細書に記載の方法およびシステムが実装され得る例示的システムを示す図である。
【図２】本明細書に記載の方法およびシステムが実装され得る例示的デバイスシステムを示す図である。
【図３】本明細書に記載の方法およびシステムが実装され得る例示的サーバシステムを示す図である。
【図４】本発明によるモバイルデバイスアプリケーションの例示的表示レイアウトを示す図である。
【図５】本発明によるモバイルデバイスアプリケーションの例示的表示レイアウトを示す図である。
【図６】本発明によるモバイルデバイスアプリケーションの例示的表示レイアウトを示す図である。
【図７】本発明によるモバイルデバイスアプリケーションの例示的表示レイアウトを示す図である。
【図８】図1のシステムによる例示的処理を示す流れ図である。
【図９】本発明によるモバイルデバイスアプリケーションの例示的表示レイアウトを示す図である。
【図１０】本発明によるモバイルデバイスアプリケーションの例示的表示レイアウトを示す図である。
【図１１】本発明によるモバイルデバイスアプリケーションの例示的表示レイアウトを示す図である。
【図１２】図1のシステムによる例示的通信ステップを示す流れ図である。
【発明を実施するための形態】
【０００９】
以下の詳細な説明は、添付の図面を参照する。異なる図面中の同じ参照番号は、同じまたは同様の要素を識別し得る。本明細書で、「画像」という用語は、視覚情報(たとえば、絵、ビデオ、写真、動画など)のデジタルまたはアナログ表現を示し得る。本明細書で、「オーディオ」という用語は、オーディオ情報(たとえば、記録された声、歌、オーディオブックなど)のデジタルまたはアナログ表現を示し得る。
【００１０】
以下で、本発明は、釣りおよび釣り人の活動に関する例示的実施形態を参照して説明されることになる。しかし、本発明は、狩り、スポーツ、登山、キノコ狩りなどの他の野外活動のために使用され得る。
【００１１】
図1は、サーバ110、コンピュータネットワーク120、通信ネットワーク130およびモバイルデバイス140を備える、本発明の例示的システム100の実施形態を示す。
【００１２】
モバイルデバイス140は、ユーザ、この場合には釣り人、によって運ばれる、携帯電話またはいわゆるスマートフォンとして例示される。
【００１３】
スマートフォン140のユーザは、たとえば湖150の周りで釣りをしているときに、通信ネットワーク130およびコンピュータネットワーク120を介してサーバ110に接続するデバイスでコンピュータプログラム(アプリ)を実行する。
【００１４】
そのアプリは、釣り人がそのアプリを起動する(または、自動的に起動される)ときに、およびアプリが始動するときに、釣り人からデータを収集するように構成され、ユーザまたはアプリは、釣り旅行、捕獲および瞬間のログを取ることができ、データがサーバ110のデータベース111で記憶される。
【００１５】
図2は、本明細書に記載の方法およびシステムが実装され得る例示的モバイルデバイスシステム200の図である。システム200は、バス210、プロセッサ220、メモリ230、読取り専用メモリ(ROM)240、記憶装置250、入力デバイス260、出力デバイス270、および通信インターフェース280を含み得る。バス210は、システム200の構成要素間の通信を可能にする。システム200はまた、1つまたは複数の電源装置(図示せず)を含み得る。システム200は、いくつかの他の方法で構成することができ、他のまたは異なる要素を含み得ることが、当業者には理解されよう。
【００１６】
プロセッサ220は、命令を解釈および実行する任意のタイプのプロセッサまたはマイクロプロセッサを含み得る。プロセッサ220はまた、オーディオファイル、ビデオファイル、マルチメディアファイル、画像ファイル、ビデオゲームなどのメディアファイルを復号し、たとえばスピーカ、ディスプレイなどへの、出力を生成することができる、ロジックを含み得る。メモリ230は、プロセッサ220による実行のために情報および命令を記憶するランダムアクセスメモリ(RAM)または別の動的記憶装置を含み得る。メモリ230はまた、プロセッサ220による命令の実行中にテンポラリ変数または他の中間情報を記憶するために使用することができる。
【００１７】
ROM240は、従来のROMデバイス、および/または、プロセッサ220のための静的情報および命令を記憶する別の静的記憶装置を含み得る。記憶装置250は、磁気ディスクもしくは光ディスクおよびそれの対応するドライブ、および/または、情報および命令を記憶するためのいくつかの他のタイプの磁気もしくは光記録媒体およびそれの対応するドライブを含み得る。記憶装置250はまた、情報および命令を記憶するためのフラッシュメモリ(たとえば、電気的消去可能プログラマブル読取り専用メモリ(EEPROM))デバイスを含み得る。
【００１８】
入力デバイス260は、キーボード、キーパッド、方向パッド、マウス、ペン、音声認識、タッチスクリーンおよび/またはバイオメトリック機構など、ユーザがシステム200に情報を入力することを可能にする1つまたは複数の従来の機構を含み得る。出力デバイス270は、ディスプレイ、プリンタ、1つまたは複数のスピーカなどを含む、ユーザに情報を出力する1つまたは複数の従来の機構を含み得る。通信インターフェース280は、システム200が他のデバイスおよび/またはシステムと通信することを可能にする任意のトランシーバのような機構を含み得る。たとえば、通信インターフェース280は、モデム、またはLANへのイーサネット（登録商標）インターフェースを含み得る。別法として、または追加で、通信インターフェース280は、ワイヤレスネットワークなどのネットワークを介して通信するための他の機構を含み得る。たとえば、通信インターフェースは、無線周波数(RF)送信機および受信機と、RFデータを送信および受信するための1つまたは複数のアンテナを含み得る。
【００１９】
本発明と一致する、システム200は、それを介してユーザが、音楽ファイル、ビデオファイル、画像ファイル、ゲーム、マルチメディアファイルなどの様々なメディアを再生するおよび/または閲覧することができる、プラットフォームを提供する。システム200はまた、以下に詳細に記載されるように、グラフィック形式でシステム200のユーザによって再生されるおよび/または閲覧されるメディアに関連する情報を表示することができる。例示的一実装形態によれば、システム200は、メモリ230に含まれる命令列を実行するプロセッサ220に応答して様々なプロセスを実行することができる。そのような命令は、記憶装置250などの別のコンピュータ可読媒体から、または通信インターフェース280を介して別個のデバイスから、メモリ230に読み込まれ得る。コンピュータ可読媒体は1つまたは複数のメモリデバイスまたは搬送波を含み得ることを、理解されたい。メモリ230に含まれる命令列の実行により、プロセッサ220は以下に記載される動作を実行する。代替実施形態で、ハードワイヤード回路が、本発明と一致する態様を実装するために、ソフトウェア命令の代わりに、またはソフトウェア命令と組み合わせて、使用され得る。したがって、本発明は、ハードウェア回路およびソフトウェアの任意の特定の組合せに限定されない。
【００２０】
本発明の教示を実行するためのサーバ300は、中央処理装置301、通信インターフェース302、ユーザインターフェース303およびデータ記憶ユニット(データベース)304を備え得る。中央処理装置に組み込まれたまたは別個に配置された追加のメモリ・ユニット(ROM、RAM)もまた、存在し得る。
【００２１】
前述のように、本発明が、釣りに関連する例示的実施形態を参照して説明される。
【００２２】
ここで図1に戻ると、釣りの例で、ユーザは、モバイルデバイス/スマートフォン140を使用して情報を入力および受信する。ユーザが釣り旅行のログを取るときにサーバ110によって収集されるデータは、以下を備え得る。
【００２３】
1.  釣る魚:  魚種のデータベースからユーザによって手動で選択され得る。これは、釣り人が、自分が捕まえようと試みることになる魚のタイプに関する情報を入力することを意味する。
【００２４】
2.  使用される餌:  餌のデータベースが、餌カテゴリ、銘柄、製品グループおよび色で構造化され得る。餌データベースは、新しい餌について餌製造会社のホームページをクロールするスクリプトによって、収集され、最新に保たれる。餌データベースは、保守および監視され得る。ユーザがそのデータベース内に餌がないことに気付いた場合、ユーザはそれらをデータベースに追加することを要求することができ、または自身でそれらを追加することができる。
【００２５】
製造会社が餌を発売し、データベース内のユーザの餌を自身で更新することができるように、製造会社もまた餌を追加することができる。餌は、ユーザが手動で餌のデータベースから選択する、または以下のうちの1つもしくはいくつかを使用して検出することができる。
・画像認識:  ユーザが、モバイルデバイス200のカメラ261を使用して餌の写真を撮り、そのデバイス内のアプリケーションが、画像を処理し、同様の餌を検索して認識する、
・NFC(Near Field Communication:  近距離通信)、各餌が一意のトランスポンダを与えられ、デバイスNFCアンテナ262が、その餌に関連するトランスポンダのタイプを検出する、
・バーコード/QRコード（登録商標）:  各餌は、バーコード/QRコードを与えられ得る。ユーザは、カメラを使用し、プログラムによって処理および認識されるバーコードをスキャンする、
・名前/番号:  ユーザは名前または番号を入力することができる、あるいは、名前/番号がOCR処理によってスキャンおよび認識され得る。
【００２６】
3.  使用される竿:ユーザが手動で餌のデータベースから選択する、または以下のうちの1つもしくは複数を使用して検出することができる。
・画像認識:  ユーザが、モバイルデバイス200のカメラ261を使用して、竿の写真を撮り、デバイス内のアプリケーションが、画像を処理し、同様の竿を検索して認識する、
・NFC(近距離通信)、各竿は一意のトランスポンダを与えられ、デバイスNFCアンテナ262が、その竿に関連するトランスポンダのタイプを検出する、
・バーコード/QRコード:  各竿は、バーコード/QRコードを与えられ得る。ユーザは、カメラを使用し、プログラムによって処理および認識されるバーコードをスキャンする、
・名前/番号:  ユーザは名前または番号を入力することができる、あるいは、名前/番号がOCR処理によってスキャンおよび認識され得る。
・ユーザプロファイルに接続され、自動的に選択される。
【００２７】
4.  釣り方法:  釣り方法のデータベースからユーザによって手動で選択され得る。
【００２８】
5.  位置:  継続的にまたは所定の間隔で、モバイルデバイスのGPSユニット(または任意の他の位置決めユニット)から収集され得る。
【００２９】
6.  時刻および日付:  モバイルデバイスから収集され得る。
【００３０】
7.  天気:  ユーザによって入力され得る、または天気サービスデータベースから収集され得る。
【００３１】
8.  月相:  月相サービスから収集され得る、またはユーザもしくは画像認識によって入力され得る。
【００３２】
9.  太陽相:  太陽相サービスから収集され得る、またはユーザによって入力され得る。
【００３３】
10.  水系:  地図サービスデータベースから収集され得る、またはユーザによって入力され得る、またはそのモバイルデバイスに接続可能な検出器によって検出され得る。
【００３４】
11.  釣り場:  天気サービスから収集される
【００３５】
12.  水視認性:  ユーザによって手動で選択/入力され得る、または、カメラによって撮られた画像を使用して画像分析され得る。
【００３６】
13.  クロロフィル:  ユーザによって手動で入力され得る、またはデバイスに接続された検出器を使用して検出され得る。
【００３７】
14.  酸素:  ユーザによって手動で入力され得る、またはデバイスに接続された検出器を使用して検出され得る。
【００３８】
15.  リン:  ユーザによって手動で入力され得る、またはデバイスに接続された検出器を使用して検出され得る。
【００３９】
16.  窒素:  ユーザによって手動で入力され得る、またはデバイスに接続された検出器を使用して検出され得る。
【００４０】
17.  Trofi:  ユーザによって手動で入力され得る、またはデバイスに接続された検出器を使用して検出され得る。
【００４１】
18.  pH値:  ユーザによって手動で入力され得る、またはデバイスに接続された検出器を使用して検出され得る。
【００４２】
19.  塩度:  ユーザによって入力され得る、または天気サービスデータベースから収集され得る。
【００４３】
20.  流れ:  ユーザによって入力され得る、または天気サービスデータベースから収集され得る、またはモバイルデバイスに接続可能な検出器によって検出され得る。
【００４４】
21.  高度:  モバイルデバイスのGPSユニット(または任意の他の位置決めユニット)から収集され得る。
【００４５】
22.  潮汐:  ユーザによって入力され得る、またはサービスデータベースから収集され得る。
【００４６】
前述の例に記載のデータベースは、モバイルデバイスのメモリ内にあってもよく、またはサーバのデータベースから収集され得る。
【００４７】
前述は、単に、使用することができるいくつかの重要なパラメータである。もちろん、活動に必須の他のパラメータもまた、提供され得る。
【００４８】
以下は、ユーザが捕獲のログを取るときに収集することができるいくつかのデータである。
【００４９】
1.  捕獲された種類:  魚種のデータベースからユーザによって手動で選択され得る、釣ろうとする種類は、事前選択される、またはモバイルデバイスのカメラによって撮られた画像を介する画像認識である。
【００５０】
2.  使用される餌:  餌のデータベースからユーザによって手動で選択され得る、釣り旅行で選択される餌は、事前選択するまたは前述のように認識/検出することができる。
【００５１】
3.  重量:  ユーザによって手動で入力され得る、またはスケールから受信され得る。
【００５２】
4.  全長:  ユーザによって手動で入力され得る、または画像認識を介して検出され得る。
【００５３】
5.  魚が保持されたまたは返された場合に、「キャッチアンドリリース」:  ユーザによって手動で選択され得る。
【００５４】
6.  写真:  モバイルデバイスのカメラを使用して、追加され得る。
【００５５】
7.  使用される釣り方法:  釣り方法のデータベースからユーザによって手動で選択され得る、釣り旅行で選択される釣り方法は、事前選択することができる。
【００５６】
8.  位置:  モバイルデバイスの位置決め配列から収集され得る。
【００５７】
9.  時刻および日付:  モバイルデバイスから収集され得る。
【００５８】
10.  天気:  天気サービスから収集され得る。
【００５９】
11.  月相:  月サービスから収集され得る。
【００６０】
12.  太陽相:  太陽サービスから収集され得る。
【００６１】
13.  水底および捕獲深度:  ユーザによって手動で入力され得る、または地図データベースから収集され得る。
【００６２】
14.  水系:  地図サービスから収集され得る、その釣り旅行で選択される水系が事前選択される。
【００６３】
15.  釣り場:  第三者天気サービスから収集され得る、その釣り旅行で選択される場所が事前選択される。
【００６４】
16.  水視認性:  水視認性のデータベースからユーザによって手動で選択され得る、その釣り旅行で選択される視認性が事前選択される。
【００６５】
17.  餌の速度:  餌速度間隔のデータベースから手動で選択され得る。
【００６６】
18.  クロロフィル:  ユーザによって手動で入力され得る、またはデバイスに接続された検出器を使用して検出され得る。
【００６７】
19.  酸素:  ユーザによって手動で入力され得る、またはデバイスに接続された検出器を使用して検出され得る。
【００６８】
20.  リン:  ユーザによって手動で入力され得る、またはデバイスに接続された検出器を使用して検出され得る。
【００６９】
21.  窒素:  ユーザによって手動で入力され得る、またはデバイスに接続された検出器を使用して検出され得る。
【００７０】
22.  Trofi:  ユーザによって手動で入力され得る、またはデバイスに接続された検出器を使用して検出され得る。
【００７１】
23.  pH値:  ユーザによって手動で入力され得る、またはデバイスに接続された検出器を使用して検出され得る。
【００７２】
24.  塩度:  ユーザによって入力され得る、または天気サービスデータベースから収集され得る。
【００７３】
25.  流れ:  ユーザによって入力され得る、または天気サービスデータベースから収集され得る、またはモバイルデバイスに接続可能な検出器によって検出され得る。
【００７４】
26.  高度:  モバイルデバイスのGPSユニット(または任意の他の位置決めユニット)から収集され得る。
【００７５】
27.  潮汐:  第三者潮汐サービスから収集される、その釣り旅行で選択される潮汐が事前選択される。
【００７６】
ユーザが、釣りをしているときに、データ接続を有さない場合、データは、モバイルデバイスでローカルに記憶され、そのユーザがデータ接続を有するときにデータベースに送信されることになる。この場合、たとえばデータ接続を必要とする天気、月/太陽相など、欠けている情報は、接続が使用可能なときに書き込まれることになる。
【００７７】
ユーザはまた、他のユーザがそれを閲覧することができないように、位置データを隠すことを選択することができる。
【００７８】
図4は、日付および時刻などのデータ入力のための欄401と、天気データに関する欄402と、追加の注釈のための欄403とを備えるモバイルデバイスのディスプレイ入力欄のレイアウトの一例を示す。データは、保存ボタン404が押されるときに、保存および/またはサーバに送信される。
【００７９】
図5は、魚画像入力のための欄501と、位置(この場合には隠されている)のための欄502と、魚のタイプ、釣りのタイプおよび餌(前述のように取得された)のための欄503と、全長、重量などの追加データのための欄504とを備える、捕獲を入力するためのモバイルデバイスのディスプレイ入力欄のレイアウトの一例を示す。
【００８０】
図6は、釣り旅行を開始するためのモバイルデバイスのディスプレイ入力欄のレイアウトの一例を示す。ユーザは、位置欄601で位置データを収集し1、入力欄602で魚タイプ(データベースから、その位置の入手可能な魚などに応じて)および餌を入力し2、開始ボタンを押すことによって釣りを開始することができる。タイマ604が、釣り時間の長さまたは魚を釣るための時間のログを取るために使用され得る。
【００８１】
図7は、モバイルデバイスの位置決めデバイスによってログを取られる湖での釣り人の動きを示すためのモバイルデバイスの表示レイアウトの一例である。
【００８２】
本発明はさらに、オンラインおよびリアルタイムで他の釣りの冒険にアクセスすることを可能にする。これは、アプリケーションのユーザのためのいわゆるソーシャルネットワークを構築することによって可能である。それにより、1人のユーザが、ログインし、他のユーザの活動中に彼らをフォローし(彼らが許可すれば)、コメントを得るまたはコメントを提供することなどができる。
【００８３】
本発明は、収集されるデータに関して、および推奨エンジンを使用して、より多くのより大きい魚を捕獲するための推奨をユーザに提供することができる。図8は、決定を行うおよび提供する1つの例示的方法の簡略化された流れ図である。本システムは、ユーザによって、データベースから、サービスプロバイダから、提供される、いくつかのデータを分析し、ユーザへの情報および/または推奨をアセンブルする。
【００８４】
そのデータは、前述のデータを備える。ユーザは、フィルタ機能を使用してデータにフィルタをかけて、特別な関連情報を特定することができる。本システムは、活動に関連して前述されたデータ1〜22などのデータを使用する。アナライザは、ユーザからのフィルタ処理された情報に関して、そのユーザのための関連情報を提供することができる。
【００８５】
推奨エンジンは、過去のデータ、現在のデータ、現在の地理データ、現在の時刻データおよび現在の選択のうちの1つまたは複数からのデータを処理し、ユーザに推奨を提供する。
【００８６】
たとえば釣りアプリケーションには、複数の推奨代替が存在する。
【００８７】
釣りの前:
ユーザは、捕まえたい種類、および、いくつかのパラメータ、たとえば、釣りをする場所が、ある一定の距離の半径内にあるべきであること、釣りの方法、釣りをすることができる期間など、を設定する。ユーザはまた、できる限り多数の魚を捕まえるために、食べるサイズについて、または記録的捕獲のために最適化したい場合、選択することができる。
【００８８】
釣りの間:
ユーザは、できる限り多数の魚を捕まえるために、食べるサイズについて、または記録的捕獲のために最適化したい場合、選択し、システムが、現在のおよび過去の条件、地図上の位置、捕獲および釣りデータを分析し、最善策、人気の釣りエリアおよび餌(ユーザの釣り道具箱で入手可能なものから)を推奨する。
【００８９】
釣り旅行中に、推奨エンジンは、過去のおよび現在の天気、地理および釣りデータを絶えず分析する。推奨エンジンがパターンを検出するとき、推奨エンジンは、どのようにして釣りを最適化し、捕獲結果を増やすかについて釣り人に推奨を与える。
【００９０】
推奨は、現在の条件およびすべてのユーザによって収集された過去の釣りデータで動作するアルゴリズムを使用して計算される。推奨のために使用されるアルゴリズムおよび方法は、絶えず評価および改善され、ニューラルネットワークおよび遺伝的プログラミングなどのAI技法でもよいが、これらに限定されない。
【００９１】
本システムは、釣り人がログを取るあらゆるものを記憶し、それを理解可能な統計データに変換することができる。釣り人は、過去の統計データをブラウズし、互いに比較することができる。
【００９２】
すべての捕獲および釣り旅行での他のデータは、釣り場のグローバルディレクトリに接続され得る。釣り場は、池、川、海、湖などでもよい。本発明のシステムは、捕獲をつなぎ、世界中の釣り場からの釣りデータを記憶し、それを釣り人のための価値のある釣り分析に変換する。
【００９３】
本システムは、世界中の各釣り場で報告されたあらゆる捕獲の統計データを含むことになる。
【００９４】
図9から図11は、ユーザから受信されるデータに基づいてシステムによって処理および提供される統計情報の例を示す。図9は、ある領域で捕らえられた魚の数を示す。図10は、日付(毎月の)と捕らえられた魚の重量およびタイプの関係のグラフを示す。図11は、日付(毎月の)と捕らえられた魚の数およびタイプの関係のグラフを示す。
【００９５】
一実施形態で、ユーザは、釣り人の物理的釣り道具箱の仮想コピーを定義することができる。それは、餌データベースからの餌のユーザ選択のリストである。それは、捕獲のログを取り、捕獲を追加する釣り旅行の間に餌を変えるときに貴重な時間を節約する。
【００９６】
一実施形態で、市販の銘柄からのすべての竿およびリールが使用可能であり得る。ユーザは、釣り用具を自身のプロファイルとつなぎ、他の釣り人の道具からヒントを得ることができる。
【００９７】
すべての魚種が、各国の現地の名前で記憶され得る。これは、世界中の釣り人が言葉の壁なしに捕獲および釣りデータを比較することを可能にする。
【００９８】
ユーザに自身の釣りのログを取る特別な動機づけを与えるために、ユーザのプロファイルの報酬としての星およびバッジが、目標を達成した場合には、受け取られる。それらは、たとえば、以下でもよい:
・ミッション完了:  あなたの第1のロギングセッションが完了した!
・今を楽しめ(Carpe Diem):  10kgを超えるコイ(Carp)を捕まえた
・フルハウス!:  同じ旅行で1つの種類を2匹と別の種類を3匹捕まえた
・その他。
【００９９】
一実施形態で、釣り人は、自身の釣りの独自の目標を設定することができる。目標は、たとえば、「今年カワカマスを100匹捕まえる」または「2カ月で51種以上の魚を捕まえる」でもよい。
【０１００】
本システムは、進度を追跡し、釣り人に結果を知らせることになる。
【０１０１】
人気のあるソーシャルネットワークでのように、ユーザは、他のメンバのフォローを開始することができる。活動ビューは、その場合、フォローする釣り人の釣りで更新することができる。釣り人をフォローするとき、釣り人が釣りを開始する、捕獲を追加する、モーメントまたはコメントするときには、通知も送信される。
【０１０２】
隠された地図上の位置を信頼されるフォロワに公開することが可能である。秘密の釣り場は、フォロワのうちの数人、または多くの人と共有することも、あるいは誰ともを共用しないことも可能である。
【０１０３】
ユーザは、その人がフォローするユーザによってまたはシステムによって生成されたある種の事象のプッシュ通知を受信することを選択することができる。通知は、モバイルアプリケーションがモバイルデバイスで動作していない場合にも、受信される。
【０１０４】
釣りガイド、釣り道具の再販業者(物理的またはオンラインストア)、製造会社、および旅行サービスなどのシステムのユーザに連絡することに関心のある当事者は、的を絞った広告および提供物をモバイルデバイスおよびシステムウェブサイトのアプリケーションで提示することができることになる。
【０１０５】
本システムは、それのメンバの釣り習慣に関する広範囲の情報を提供されることになり、これは、正確なターゲット広告、提案および取引のために使用され得る。
【０１０６】
大きな釣り再販業者とのキャンペーンを始めることによって、的を絞った提案が行われ得る:
-  たとえば、メンバのエリアで使用される統計的に最も効果的なフライを有さない、フライフィッシャが、フライを買うための値引きを得ることができる。
-  たとえば、大きなゲームトローリングを行う、海の釣り人が、マグロの季節より前の時間の深海釣りの休日の値引きを得ることができる。
-  営業時間中に再販業者の場所から適度な距離内で釣り旅行を終えた釣り人達は、彼らを立ち寄るように誘うための特別な値引きを得ることができる。
【０１０７】
図12は、たとえば再販業者から、1人または複数人のユーザまたはユーザグループに関連情報を提供する流れを示す。再販業者121は、システムのサーバ122にユーザに提供されることになるデータを提供し、サーバは、情報または再販業者の要求を分析して、関心のある、たとえば釣りタイプおよび/または地理的位置の、グループまたはユーザを見つけ出すことができる。情報は、他の情報/提案とパッケージ化または結合し、ユーザ123に送信することができる。モバイルデバイスのアプリケーションは、ユーザが情報を閲覧した、値引きを受諾した、および/または、情報内の製品を買うことを決定した(再販業者に直接またはサーバ121を介して)というログを取り、ロギングのデータをサーバに提供する。サーバは、処理される情報の統計データを作り、それを再販業者に送信する(たとえば、請求書とともに)ことができる。
【０１０８】
ユーザが、いつも釣りのために両手を自由にすることができるように、ユーザは、拡張現実(AR: Augmented Reality)眼鏡を身に付け、接続して、眼鏡と音声コマンドでロギングを行うことができる。ユーザは、ARを使用して、湖の人気の釣りエリアと、過去の捕獲位置およびデータを見つけることができる。一実施形態で、ユーザは、仮想現実(VR)デバイスを提供されて、他のユーザの釣り旅行中に彼らをフォローすること、または釣り旅行をシミュレートすることができる。
【０１０９】
一実施形態で、モバイルデバイスアプリは、釣りのための標準ソナーにワイヤレスで接続することができる。アプリは、システムサーバに3次元の水中の地理情報を送信し、3Dの捕獲位置もまた送信される。データが、ソナーを使用するすべてのユーザから併合されて、過去の捕獲位置およびデータを有する3D水中地図を作成する。
【０１１０】
モバイルデバイスのカメラを使用して画像を記録することによる魚の皮膚の模様のパターン認識を使用し、個々の魚の識別が記憶され得る。魚が何度か捕まり、放されるとき、捕獲瞬間の位置および条件が、比較および分析され得る。
【０１１１】
システムのサービスプロバイダは、競技会を用意することができ、ユーザはコンテストへの参加の料金を課され得る。ユーザは、モバイルアプリまたはウェブサイトを介して参加を申し込み、参加料を支払い、他の釣り人とともに競技会に参加することができる。たとえば、最も大きい魚、魚の数など、異なるタイプおよびカテゴリの競技会が可能であり、たとえば、3人の勝者が、たとえばスポンサまたは再販業者(やはり支払うことができる)からの、賞金を有する各カテゴリについて指名され得る。
【０１１２】
モバイルデバイスのアプリケーションはまた、デバイスの一意の識別に接続された釣りの許可証または免許として使用することができ、または可読ファイルとして提供され得る。
【０１１３】
一実施形態で、ユーザは、データ接続が欠けているまたは悪い場合に使用されることになるモバイルデバイス内の釣り領域に関するすべての関連情報を記憶することができる。
【０１１４】
釣りの前述の例はまた、狩りにも適用することができ、それにより、竿および餌を銃および銃弾(または他の狩り道具)と変更し、魚を獲物と変更する。
【０１１５】
キノコ狩りを検索するアプリケーションでは、異なるタイプのキノコに関する情報が提供され得る。画像認識は、毒のあるものを避けてキノコを選択し、情報、たとえば毒のあるキノコの位置、を他のユーザに提供するために、使用することができる。
【０１１６】
本明細書で「デバイス」という用語は、インターネット/イントラネットアクセス、ウェブブラウザ、オーガナイザ、カレンダ、カメラ(たとえば、ビデオおよび/または静止画像カメラ)、録音装置(たとえば、マイクロフォン)および/またはグローバルポジショニングシステム(GPS)受信機の能力を有する無線電話と、データ処理手続きを有するセルラ無線電話を結合させることができるパーソナルコミュニケーションシステム(PCS)端末と、無線電話またはワイヤレス通信システムを含み得るパーソナルデジタルアシスタント(PDA)と、ラップトップと、通信能力を有するカメラ(たとえば、ビデオおよび/または静止画像カメラ)と、パーソナルコンピュータ、家庭用娯楽システム、テレビジョンなどの送受信の能力を有する任意の他の計算または通信デバイスとを含むと広く解釈されるべきである。
【０１１７】
本明細書に記載される本発明の様々な実施形態は、ネットワーク環境でコンピュータによって実行される、プログラムコードなどのコンピュータ実行可能命令を含む、コンピュータ可読媒体で実施され得る、コンピュータプログラム製品によって一実施形態で実装され得る、方法のステップまたはプロセスとの一般的関連で説明される。コンピュータ可読媒体は、読取り専用メモリ(ROM)、ランダムアクセスメモリ(RAM)、コンパクトディスク(CD)、デジタル多用途ディスク(DVD)などを含むが、これらに限定されない、取外し可能および取外し不能記憶装置を含み得る。一般に、プログラムモジュールは、特定のタスクを実行するまたは特定の抽象データタイプを実装する、ルーチン、プログラム、オブジェクト、構成要素、データ構造体などを含み得る。コンピュータ実行可能命令、関連するデータ構造体、およびプログラムモジュールは、本明細書で開示される方法のステップを実行するためのプログラムコードの例を表す。そのような実行可能命令または関連するデータ構造体の特定のシーケンスは、そのようなステップまたはプロセスで説明される機能を実装するための対応する動作の例を表す。
【０１１８】
本発明の様々な実施形態のソフトウェアおよびウェブ実装形態は、規則に基づくロジックおよび他のロジックを有する標準プログラミング技法で遂行されて、様々なデータベース検索ステップもしくはプロセス、相関関係ステップもしくはプロセス、比較ステップもしくはプロセス、および、決定ステップもしくはプロセスを遂行することができる。本明細書および以下の特許請求の範囲で、「構成要素」および「モジュール」という言葉は、1つまたは複数の行のソフトウェアコードを使用する実装形態、および/またはハードウェア実装形態、および/または手動入力を受信するための機器を包含するものであることに留意されたい。
【０１１９】
本発明の実施形態の前述の説明は、例示および説明を目的として表される。前述の説明は、包括的なものではなく、開示された正確な形に本発明の実施形態を限定するものではなく、修正形態および変更形態が、前述の教示に照らして可能であり、本発明の様々な実施形態の実施から取得され得る。本明細書で論じられる実施形態は、本発明の様々な実施形態およびその実際の適用例の原理および特質を説明して、当業者が様々な実施形態で、企図される特定の使用に適するような様々な修正形態とともに、本発明を使用することを可能にするために、選択され、記載される。本明細書に記載の実施形態の特徴は、方法、装置、モジュール、システムおよびコンピュータプログラム製品のすべての起こり得る組合せで結合され得る。
【０１２０】
前述の記載された実施形態は、単に例として与えられ、本発明を限定してはならない。以下に記載の特許請求の範囲で請求されるような本発明の範囲内の他の解決法、使用法、目的、および機能が、当業者には明らかとなろう。
【符号の説明】
【０１２１】
100  システム
110  サーバ
111  データベース
120  コンピュータネットワーク
121  再販業者サーバ
122  サーバ
123  ユーザ
130  通信ネットワーク
140  モバイルデバイス
150  湖
200  システム
210  バス
220  プロセッサ
230  メモリ
240  読取り専用メモリ(ROM)
250  記憶装置
260  入力デバイス
261  カメラ
262  デバイスNFCアンテナ
270  出力デバイス
280  通信インターフェース
300  サーバ
301  中央処理装置
302  通信インターフェース
303  ユーザインターフェース
304  データ記憶装置(データベース)
401  日付および時刻などのデータ入力のための欄
402  天気データに関する欄
403  追加の注釈のための欄
404  保存ボタン
501  魚画像入力のための欄
502  位置のための欄
503  餌のための欄
504  追加データのための欄
601  位置欄
602  入力欄
604  タイマ
【図１】
0006321029.tif 000002
【図２】
0006321029.tif 000003
【図３】
0006321029.tif 000004
【図４】
0006321029.tif 000005
【図５】
0006321029.tif 000006
【図６】
0006321029.tif 000007
【図７】
0006321029.tif 000008
【図８】
0006321029.tif 000009
【図９】
0006321029.tif 000010
【図１０】
0006321029.tif 000011
【図１１】
0006321029.tif 000012
【図１２】
0006321029.tif 000013